(57)【要約】【課題】  ランニングパワー制御記録手段と、このランニングパワー制御記録手段によるランニングパワー制御を実行する間隔を調整する実行間隔調整手段とを備えることにより、記録位置、記録速度、記録品質及び再生信号に応じた値が変化しても、適正なＯＰＣが可能な情報記録再生装置を提供する。【解決手段】  データ記録が開始される（Ｓ１）。つづいて、ＲＯＰＣを実行するか否かを判断する（Ｓ２）。実行しない場合は、データ記録が終了したか否かを確認し（Ｓ６）、終了していた場合は、処理を終了する（Ｓ７）。終了していない場合は、Ｓ２へ戻り繰り返す。Ｓ２で実行する場合は、ＲＯＰＣを実行する（Ｓ３）。続いて、ＲＯＰＣの実行間隔の変更を行うか否かを確認する（Ｓ４）。変更しない場合は、Ｓ６に進む。Ｓ４で変更する場合は、ＲＯＰＣの実行間隔を変更する（Ｓ５）。その後、データ記録が終了したかどうか確認し（Ｓ６）、終了していた場合は、処理を終了する（Ｓ７）。終了していない場合は、Ｓ２へ戻って繰り返す。【選択図】  図２
2006252676.tif 000002
【特許請求の範囲】
【請求項１】
記録可能な情報記録媒体に情報を記録して再生する情報記録再生装置において、
前記情報記録媒体に情報を記録中に当該情報の記録状態を常時監視し、記録パワーを制御しながら前記情報を記録するランニングパワー制御記録手段と、該ランニングパワー制御記録手段によるランニングパワー制御を実行する間隔を調整する実行間隔調整手段と、前記ランニングパワー制御記録手段及び実行間隔調整手段を制御する制御手段と、を備え、
前記制御手段は、前記情報記録媒体に情報を記録する条件に基づいて、前記ランニングパワー制御記録手段を動作させるか否かを判断し、該ランニングパワー制御記録手段を動作させる場合には、前記実行間隔調整手段に対して前記ランニングパワー制御の実行間隔の値を指示することを特徴とする情報記録再生装置。
【請求項２】
前記制御手段は、前記ランニングパワー制御記録手段により前記情報記録媒体の全面に亘ってランニングパワー制御を動作させる場合、前記情報記録媒体の内周と外周とで異なる実行間隔により前記ランニングパワー制御を実行するように前記実行間隔調整手段を制御することを特徴とする請求項１に記載の情報記録再生装置。
【請求項３】
前記制御手段は、前記ランニングパワー制御記録手段により前記情報記録媒体の全面に亘ってランニングパワー制御を動作させる場合、前記情報記録媒体の内周の実行間隔に比較して外周の実行間隔が狭くなるように前記実行間隔調整手段を制御することを特徴とする請求項１または２に記載の情報記録再生装置。
【請求項４】
前記制御手段は、前記ランニングパワー制御記録手段により前記情報記録媒体の一部の面にランニングパワー制御を動作させる場合、前記情報記録媒体の外周に限定して前記ランニングパワー制御を実行するように前記実行間隔調整手段を制御することを特徴とする請求項１に記載の情報記録再生装置。
【請求項５】
前記情報記録媒体に情報を記録する条件は、情報を記録する位置、記録速度、再生信号に応じた値、記録品質および記録時間であることを特徴とする請求項１に記載の情報記録再生装置。
【発明の詳細な説明】
【技術分野】
【０００１】
本発明は、情報記録再生装置に関し、さらに詳しくは、記録可能な情報記録媒体に情報を記録する際のパワー制御技術に関するものである。
【背景技術】
【０００２】
大容量記録可能なメディアにＣＤ−ＲやＣＤ−ＲＷがある。最近では、更に大容量記録可能なメディアとして、ＤＶＤ＋Ｒ／＋ＲＷがＣＤ−Ｒ／ＲＷにとって代わり一般市場に浸透しつつある。これらのメディアを記録する場合、ドライブはＯＰＣ（Optimum Power Control & Calibration）という動作を行う。ＯＰＣとは媒体上に存在する試し書き領域で、レーザーパワーを段階的に振り分けテスト記録を行い最適パワーを決定するものである。この試し書き領域のことを、ＣＤ−Ｒ／ＲＷでは、ＰＣＡ（Power Calibration Area）、ＤＶＤ＋Ｒでは、Inner & Outer Disc Test Zone、ＤＶＤ＋ＲＷでは、Inner & Outer Drive Test Zoneと呼ぶ。
また、通常のＯＰＣのほかに、代表的なパワー制御方法としてランニングＯＰＣ（以下、ＲＯＰＣと呼ぶ）がある。ＲＯＰＣとは、記録中のディスク状態を常に監視し、記録パワーを制御しながら記録する方法である。最近では、ＤＶＤでも記録速度の高速化が進み、ＤＶＤ＋Ｒ／−Ｒでは１６倍記録が可能になっている。
従来技術として特許文献１には、ディスクの記録感度の違いや周囲温度等の違いによって最適記録パワーが異なっても良好な記録マークが形成できるようにするために、ディスクに光ビームを照射して情報記録マークを形成する情報記録装置において、光ビームの記録パワーを可変させて試し書きを行う手段と、試し書きの結果により、情報記録時の回転数を決定する回転数決定手段を有する情報記録装置について開示されている。
【特許文献１】特開平９−２８８８２７号公報
【発明の開示】
【発明が解決しようとする課題】
【０００３】
しかしながら、上記のような高速記録の場合、上記ＲＯＰＣを実行するとディスクの内周や中周ではＲＯＰＣにより最適な状態で記録できていたものが、外周に行くにしたがって最適な状態で記録することができずに記録品質が悪化することがある。この原因には温度やディスクの反り、機械特性等が挙げられる。このような場合、通常より高い記録パワーが必要になるため、この記録パワーの差分をＲＯＰＣによって補っている。しかし、１６倍といった高速記録の場合、この補正が間に合わず、記録パワーの差分を補正できずに記録品質が悪くなってしまい、記録したデータが読めないといった問題がある。
また特許文献１に開示されている従来技術は、記録する前の試し書きを行い、その結果から、記録時の回転数を制御するというものであるが、この方法だと高速記録中に記録パワーがディスクの反りや機械特性などにより影響を受けることを考慮していないため、補正が間に合わないといった問題がある。
本発明は、かかる課題に鑑み、ランニングパワー制御記録手段と、このランニングパワー制御記録手段によるランニングパワー制御を実行する間隔を調整する実行間隔調整手段とを備えることにより、記録位置、記録速度、記録品質及び再生信号に応じた値が変化しても、適正なＯＰＣが可能な情報記録再生装置を提供することを目的とする。
【課題を解決するための手段】
【０００４】
本発明はかかる課題を解決するために、請求項１は、記録可能な情報記録媒体に情報を記録して再生する情報記録再生装置において、前記情報記録媒体に情報を記録中に当該情報の記録状態を常時監視し、記録パワーを制御しながら前記情報を記録するランニングパワー制御記録手段と、該ランニングパワー制御記録手段によるランニングパワー制御を実行する間隔を調整する実行間隔調整手段と、前記ランニングパワー制御記録手段及び実行間隔調整手段を制御する制御手段と、を備え、前記制御手段は、前記情報記録媒体に情報を記録する条件に基づいて、前記ランニングパワー制御記録手段を動作させるか否かを判断し、該ランニングパワー制御記録手段を動作させる場合には、前記実行間隔調整手段に対して前記ランニングパワー制御の実行間隔の値を指示することを特徴とする。
本発明の情報記録再生装置は、記録中のディスク状態を常に監視し、記録パワーを制御しながら記録するランニングパワー制御（ＲＯＰＣ）を実行するランニングパワー制御記録手段と、ＲＯＰＣを実行する間隔を調整する実行間隔調整手段と、これらを制御する制御手段とを備えている。そして制御手段は、情報記録媒体に情報を記録する条件（例えば、記録位置、記録速度等）に基づいて、ＲＯＰＣを実行するか否かを判断し、実行する場合は条件により実行する間隔を適宜調整する。
【０００５】
請求項２は、前記制御手段は、前記ランニングパワー制御記録手段により前記情報記録媒体の全面に亘ってランニングパワー制御を動作させる場合、前記情報記録媒体の内周と外周とで異なる実行間隔により前記ランニングパワー制御を実行するように前記実行間隔調整手段を制御することを特徴とする。
従来のＲＯＰＣでは、情報記録媒体の全面に亘ってＲＯＰＣを実行した場合、内周や中周ではＲＯＰＣによる補正が有効であるが、外周部では記録速度により補正が間に合わない場合があった。そこで本発明では、情報記録媒体の全面に亘ってＲＯＰＣを実行する場合、情報記録媒体の内周と外周とで異なる実行間隔によりＲＯＰＣを実行するものである。
請求項３は、前記制御手段は、前記ランニングパワー制御記録手段により前記情報記録媒体の全面に亘ってランニングパワー制御を動作させる場合、前記情報記録媒体の内周の実行間隔に比較して外周の実行間隔が狭くなるように前記実行間隔調整手段を制御することを特徴とする。
ＲＯＰＣはその実行間隔を狭くすればエラーレイトが低下することが解っている。また高速記録の場合、ＲＯＰＣを実行すると情報記録媒体の内周や中周ではＲＯＰＣにより最適な状態で記録できていたものが、外周に行くにしたがって最適な状態で記録することができずに記録品質が悪化することがある。そこで本発明では、内周の実行間隔に比較して外周の実行間隔が狭くなるようして、外周のエラーレイトを低下させるものである。
【０００６】
請求項４は、前記制御手段は、前記ランニングパワー制御記録手段により前記情報記録媒体の一部の面にランニングパワー制御を動作させる場合、前記情報記録媒体の外周に限定して前記ランニングパワー制御を実行するように前記実行間隔調整手段を制御することを特徴とする。
高速記録の場合、一定の実行間隔でＲＯＰＣを実行した場合、外周になればなるほど、エラーレイトが高くなる。しかし、内周部ではエラーレイトは低下しないので、部分的にＲＯＰＣを実行すれば全体のエラーレイトを維持することができる。そこで本発明では、エラーレイトが低下する外周に限定してＲＯＰＣを実行するものである。
請求項５は、前記情報記録媒体に情報を記録する条件は、情報を記録する位置、記録速度、再生信号に応じた値、記録品質および記録時間であることを特徴とする。
情報記録媒体に記録する情報の記録位置によりＲＯＰＣを実行する間隔を変更する。例えば、ディスクの半径まではＲＯＰＣを実行または実行間隔を変更すればよい。また４倍や８倍といった低速記録ではＲＯＰＣを実行する間隔を変更する必要はないが、１６倍といった高速記録ではＲＯＰＣを実行する間隔を変更する必要がある。また基本的にＲＯＰＣはβと呼ばれる値を決められた基準値に制御することである。このβは再生信号ＲＦから求めることができ、一般的にこの値が基準値より大きいと記録パワーが大きく、低い場合は記録パワーが不足していることになる。またＲＯＰＣでは、通常、直前に記録した位置の状態から記録パワーを補正している。このとき記録品質を測定し、良くないようならＲＯＰＣの間隔を短くするものである。また情報を記録してから所定の時間が経過すると、記録位置がどこまで進んでいるかを判断することができる。即ち、記録時間を監視することにより、どこで記録状態を確認する間隔を変更すればよいかがわかる。
【発明の効果】
【０００７】
請求項１の発明によれば、制御手段は、情報記録媒体に情報を記録する条件に基づいて、ランニングパワー制御記録手段を動作させるか否かを判断し、実行間隔調整手段に対してランニングパワー制御の実行間隔の値を指示するので、高速記録の場合でも情報記録媒体の全面に亘って最適なＯＰＣを行うことができる。
また請求項２では、情報記録媒体の全面に亘ってＲＯＰＣを実行する場合、情報記録媒体の内周と外周とで異なる実行間隔によりＲＯＰＣを実行するので、記録位置による補正の不具合を減少することができる。
また請求項３では、内周のＲＯＰＣの実行間隔に比較して外周の実行間隔が狭くなるようにしたので、外周のエラーレイトを低下させ画像品質の低下を抑制することができる。
また請求項４では、エラーレイトが低下する外周に限定してＲＯＰＣを実行するので、不必要なＲＯＰＣの実行を防止することができ、全体の記録速度を高めることができる。
また請求項５では、情報記録媒体に情報を記録する条件は、情報を記録する位置、記録速度、再生信号に応じた値、記録品質および記録時間であるので、各条件に最適なＲＯＰＣを適宜選択することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る情報記録再生装置の構成図である。以下、ＤＶＤ＋Ｒドライブを例として説明する。この情報記録再生装置１００は、情報記録媒体としての光ディスク１を回転駆動するためのスピンドルモータ２と、光ディスク１のスパイラル状又は同心円状のトラック（記録領域）が形成された記録面にレーザ光を照射するとともに、記録面からの反射光を受光するための光ピックアップ装置３と、エンコーダ５からの書き込み信号及びＣＰＵ１３の指示に基づいて、光ピックアップ装置３から出射されるレーザ光の出力を制御するレーザコントロール回路４と、ＣＰＵ１３の指示に基づいて、バッファＲＡＭ９に蓄積されているデータをバッファマネージャ１０を介して取り出し、データ変調及びエラー訂正コードの付加などを行い、光ディスク１への書き込み信号を生成するとともに、再生信号処理回路７からの同期信号に同期してレーザコントロール回路４に出力するエンコーダ５と、サーボコントローラ８からの各制御信号に応じて光ピックアップ装置３のトラッキングアクチュエータ及びフォーカシングアクチュエータを駆動するモータドライバ６と、上記受光器の出力信号に基づいてウォブル信号、ＲＦ信号及びサーボ信号（フォーカスエラー信号、トラックエラー信号）などを検出する再生信号処理回路７と、再生信号処理回路７からのフォーカスエラー信号に基づいてフォーカスずれを補正するための制御信号を生成し、トラックエラー信号に基づいてトラックずれを補正するための制御信号を生成するサーボコントローラ８と、メモリとしてのバッファＲＡＭ９と、バッファＲＡＭ９へのデータの入出力を管理し、蓄積されたデータ量が所定の値になると、ＣＰＵ１３に通知するバッファマネージャ１０と、ホスト１５（例えばパソコン）との双方向の通信インターフェースであるインターフェース１１と、ＣＰＵ１３にて解読可能なコードで記述された後述するホストからの記録要求に応じてデータを光ディスク１に記録するプログラムが格納されているＲＯＭ１２と、全体を制御するＣＰＵ１３と、ワーキングメモリとしてのＲＡＭ１４とを備えて構成される。なお、図における矢印は、代表的な信号や情報の流れを示すものであり、各ブロックの接続関係の全てを表すものではない。また、本実施形態では、光ディスク１には、一例としてＤＶＤ＋ＲＷの規格に準拠した情報記録媒体が用いられるものとする。
【０００９】
また光ピックアップ装置３は、光源としての半導体レーザ、該半導体レーザから出射される光束を光ディスク１の記録面に導くとともに、記録面で反射された戻り光束を所定の受光位置まで導く光学系、受光位置に配置され戻り光束を受光する受光器、及び駆動系（フォーカシングアクチュエータ、トラッキングアクチュエータ及びシークモータ）（いずれも図示省略）などを含んで構成されている。そして、受光器からは、その受光量に応じた信号が再生信号処理回路７に出力される。
また再生信号処理回路７は、検出したウォブル信号からＡＤＩＰ（Address In Pre-groove）情報及び同期信号等を抽出し、ＡＤＩＰ情報をＣＰＵ１３に、同期信号をエンコーダ５にそれぞれ出力する。さらに、検出したＲＦ信号に対して復号処理及び誤り訂正処理等を行った後、再生データとしてバッファマネージャ１０を介してバッファＲＡＭ９に格納する。なお、復号処理に際して発生したエラー（エラーレート）はＣＰＵ１３に通知される。また、ここで検出されたサーボ信号はサーボコントローラに出力される。
またサーボコントローラ８で生成された各制御信号はそれぞれモータドライバ６に出力される。
【００１０】
モータドライバ６は、再生信号処理回路７、サーボコントローラ８及びモータドライバ６によってトラッキング制御及びフォーカス制御が行われる。また、ＣＰＵ１３の指示に基づいてスピンドルモータ２及び光ピックアップ装置３のシークモータを駆動する。
またインターフェース１１は、ホスト１５（例えばパソコン）との双方向の通信インターフェースであり、ＡＴＡＰＩ（AT Attachment Packet Interface）、ＳＣＳＩ（Small Computer System Interface）及びＵＳＢ（Universal Serial Bus）等の標準インターフェースに準拠している。
ここで、データ記録処理について説明する。先ず、記録速度に基づいてスピンドルモータ２の回転を制御するための制御信号をモータドライバ６に出力するとともに、ホスト１５から受信したユーザーデータをバッファＲＡＭ９に蓄積するようにバッファマネージャ１０に指示する。さらに、ホスト１５から記録要求コマンドを受信した旨を再生信号処理回路７に通知する。これにより、光ディスク１の回転が所定の線速度に達すると、上記トラッキング制御及びフォーカス制御が行われる。なお、トラッキング制御及びフォーカス制御は記録処理が終了するまで随時行われる。そして、バッファマネージャ１０からバッファＲＡＭ９に蓄積されたユーザーデータのデータ量が所定の量を超えたとの通知を受けると、エンコーダ５に書き込み信号の生成を指示し、光ピックアップ装置３が書き込み開始地点に到達すると、エンコーダ５に通知する。これにより、ユーザーデータは、エンコーダ５、レーザコントロール回路４及び光ピックアップ装置３を介して光ディスク１に書き込まれ、ホスト１５からのユーザーデータがすべて書き込まれると記録処理を終了する。
【００１１】
次に、データ再生処理について説明する。先ず、再生速度に基づいてスピンドルモータ２の回転を制御するための制御信号をモータドライバ６に出力するとともに、再生要求コマンドを受信した旨を再生信号処理回路７に通知する。これにより、光ディスク１の回転が所定の線速度に達すると、上記トラッキング制御及びフォーカス制御が行われる。なお、トラッキング制御及びフォーカス制御は再生処理が終了するまで随時行われる。そして、光ピックアップ装置３が読み出し開始地点に到達すると、再生信号処理回路７に通知する。これにより、前述の如く再生信号処理回路７を介して再生データがバッファＲＡＭ９に蓄積されるとともに、再生データがセクタデータとして揃うと、バッファマネージャ１０及びインターフェース１１を介してホスト１５に転送され、ホスト１５から指定された全てのデータを再生すると再生処理を終了する。
図２は、本発明の実施形態に係る情報記録再生装置の動作フローチャートである。まず、データ記録が開始される（Ｓ１）。つづいて、ＲＯＰＣを実行するか否かを判断する（Ｓ２）。実行しない場合は（Ｓ２でＮＯのルート）、データ記録が終了したか否かを確認し（Ｓ６）、終了していた場合は（Ｓ６でＹＥＳのルート）、処理を終了する（Ｓ７）。終了していない場合は（Ｓ６でＮＯのルート）、Ｓ２へ戻り繰り返す。Ｓ２で実行する場合は（Ｓ２でＹＥＳのルート）、ＲＯＰＣを実行する（Ｓ３）。続いて、ＲＯＰＣの実行間隔の変更を行うか否かを確認する（Ｓ４）。変更しない場合は（Ｓ４でＮＯのルート）、Ｓ６に進む。Ｓ４で変更する場合は（Ｓ４でＹＥＳのルート）、ＲＯＰＣの実行間隔を変更する（Ｓ５）。その後、データ記録が終了したかどうか確認し（Ｓ６）、終了していた場合は（Ｓ６でＹＥＳのルート）、処理を終了する（Ｓ７）。終了していない場合は（Ｓ６でＮＯのルート）、Ｓ２へ戻って繰り返す。
【００１２】
本発明の情報記録再生装置１００は、記録中のディスク状態を常に監視し、記録パワーを制御しながら記録するランニングパワー制御（ＲＯＰＣ）を実行するランニングパワー制御記録手段と、ＲＯＰＣを実行する間隔を調整する実行間隔調整手段と、これらを制御する制御手段とを備えている。そして制御手段は、光ディスク１に情報を記録する条件（例えば、記録位置、記録速度等）に基づいて、ＲＯＰＣを実行するか否かを判断し、実行する場合は条件により実行する間隔を適宜調整する。
図３（ａ）は、ＲＯＰＣを実行しないでＤＶＤ＋Ｒの１６倍ＣＡＶ記録を行った際の光ディスクの記録位置と記録速度との関係を示す図である。縦軸が記録速度、横軸が光ディスクの記録位置を示している。符号２０は現在の記録速度を示し、符号２１は回転数（ＣＡＶ記録のため一定）を示している。図３（ｂ）は、ＥＣＣ単位毎のエラー率を示すＢＬＥＲ（Block Error Rate）と呼ばれる値である。ここで縦軸はＢＬＥＲとβであり、横軸は、物理アドレスを示している。βとは、ＲＯＰＣ時に基準になる値で、このβは再生信号ＲＦから求めることができ、一般的にこの値が基準値より大きいと記録パワーが大きく、低い場合は記録パワーが不足していることになる。ここで符号２２は前述のβを示し、符号２３はＰＩ（Parity Inner）、符号２４はＰＯＦ（Parity Outer Fail）を示している。ＤＶＤのエラー訂正は、ＥＣＣ単位毎に行と列の２重訂正を行っており、最初に列の訂正を行い（ＰＩ訂正）、それで訂正しきれない場合は、行の訂正（ＰＯ訂正）を行い、それでも訂正しきれないエラーがＰＯＦになる。図３（ｂ）では、外周に行くにつれてＰＩエラー（符号２３）が増加し、最終的には、ＰＯＦ（符合２４）が発生しており、非常に記録品質の良くないディスクになっていることが解る。
【００１３】
図４（ａ）は、全面ＲＯＰＣを有効にした場合の記録速度と光ディスクの位置関係を示す図である。符号３０は現在の記録速度を示し、符号３１は回転数（ＣＡＶ記録のため一定）を示している。ＲＯＰＣは、直前に記録した箇所のβを測定するために一旦ライト動作を停止している。そのため、記録速度の波形が一定間隔で段差が発生している。また、この全面ＲＯＰＣの間隔は１０秒で行っている。図４（ｂ）は、ＥＣＣ単位毎のエラー率を示すＢＬＥＲ（Block Error Rate）と呼ばれる値である。ここで縦軸はＢＬＥＲとβであり、横軸は、物理アドレスを示している。ここで符号３２は前述のβを示し、符号３３はＰＩ（Parity Inner）、符号３４はＰＯＦ（Parity Outer Fail）を示している。この図から明らかなように図３と比較すると、ＰＩエラーは内周、中周のＢＬＥＲは抑えられているが、外周のＢＬＥＲが高くなっている。これは、１０秒毎のＲＯＰＣでは中周、内周の記録パワーの補正ができ、ＢＬＥＲを低く抑えることができるが、外周では記録パワーの補正が間に合わず、ＢＬＥＲが高くなってしまっていることが解る。
図５（ａ）は、外周ＲＯＰＣを有効にした場合の記録速度と光ディスクの位置関係を示す図である。符号３５は現在の記録速度を示し、符号３６は回転数（ＣＡＶ記録のため一定）を示している。ＲＯＰＣは、直前に記録した箇所のβを測定するために一旦ライト動作を停止している。そのため、記録速度の波形が外周で一定間隔に段差が発生している。また、この全面ＲＯＰＣの間隔は３秒で行っている。図５（ｂ）は、ＥＣＣ単位毎のエラー率を示すＢＬＥＲ（Block Error Rate）と呼ばれる値である。ここで縦軸はＢＬＥＲとβであり、横軸は、物理アドレスを示している。ここで符号３７は前述のβを示し、符号３８はＰＩ（Parity Inner）、符号３９はＰＯＦ（Parity Outer Fail）を示している。この図から明らかなように図３と比較すると、外周ＲＯＰＣを有効にしたので外周のＢＬＥＲは低く抑えられており、ＰＯＦ（符合３９）も発生していない。
高速記録の場合、一定の実行間隔でＲＯＰＣを実行した場合、外周になればなるほど、エラーレイトが高くなる。しかし、内周部ではエラーレイトは低下しないので、部分的にＲＯＰＣを実行すれば全体のエラーレイトを維持することができる。そこで本発明では、エラーレイトが低下する外周に限定してＲＯＰＣを実行するものである。これにより、不必要なＲＯＰＣの実行を防止することができ、全体の記録速度を高めることができる。
【００１４】
図６（ａ）は、全面ＲＯＰＣ＋外周ＲＯＰＣを有効にした場合の記録速度と光ディスクの位置関係を示す図である。この場合、位置によってＲＯＰＣの間隔を変更しており、ＬＢＡ（Logical Block Address）で０ｘ１Ｄ００００ｈ以降（領域Ｂ）は、ＲＯＰＣの間隔を３秒に変更している。それ以前（領域Ａ）は、１０秒間隔で行っている。図（ｂ）は、ＥＣＣ単位毎のエラー率を示すＢＬＥＲ（Block Error Rate）と呼ばれる値である。ここで縦軸はＢＬＥＲとβであり、横軸は、物理アドレスを示している。ここで符号４２は前述のβを示し、符号４３はＰＩ（Parity Inner）、符号４４はＰＯＦ（Parity Outer Fail）を示している。この図から明らかなように図３と比較すると、全面ＲＯＰＣ＋外周ＲＯＰＣを有効にした場合の図で、全体的にＰＩエラーのＢＬＥＲが非常に低く抑えられており、特に外周においてもＢＬＥＲの上昇は見られない。
このようにＲＯＰＣの実行のＯＮ、ＯＦＦまた、間隔等を変更することにより、従来のＲＯＰＣよりも記録品質を向上することができる。ここで、速度や間隔変更箇所や実行間隔時間はこれに限定するものではない。例えば、ＲＯＰＣの変更を記録開始から６分後とすれば、１６倍の場合、上記の図６と同様のグラフとなる。
従来のＲＯＰＣでは、光ディスク１の全面に亘ってＲＯＰＣを実行した場合、内周や中周ではＲＯＰＣによる補正が有効であるが、外周部では記録速度により補正が間に合わない場合があった。そこで本発明では、光ディスク１の全面に亘ってＲＯＰＣを実行する場合、光ディスク１の内周と外周とで異なる実行間隔によりＲＯＰＣを実行するものである。そこで本発明では、内周の実行間隔（１０秒）に比較して外周の実行間隔（３秒）が狭くなるようして、外周のエラーレイトを低下させるものである。これにより、外周のエラーレイトを低下させ画像品質の低下を抑制することができる。
【図面の簡単な説明】
【００１５】
【図１】本発明の実施形態に係る情報記録再生装置の構成図。
【図２】本発明の実施形態に係る情報記録再生装置の動作フローチャート。
【図３】（ａ）は、ＲＯＰＣを実行しないでＤＶＤ＋Ｒの１６倍ＣＡＶ記録を行った際の記録速度と光ディスクの位置関係を示す図、（ｂ）は光ディスクのアドレスとＢＬＥＲの関係を示す図。
【図４】（ａ）は、全面ＲＯＰＣを有効にした場合の記録速度と光ディスクの位置関係を示す図、（ｂ）は光ディスクのアドレスとＢＬＥＲの関係を示す図。
【図５】（ａ）は、外周ＲＯＰＣを有効にした場合の記録速度と光ディスクの位置関係を示す図、（ｂ）は光ディスクのアドレスとＢＬＥＲの関係を示す図。
【図６】（ａ）は、全面ＲＯＰＣ＋外周ＲＯＰＣを有効にした場合の記録速度と光ディスクの位置関係を示す図、（ｂ）は光ディスクのアドレスとＢＬＥＲの関係を示す図。
【符号の説明】
【００１６】
１  光ディスク、２  スピンドルモータ、３  光ピックアップ装置、４  レーザコントロール回路、５  エンコーダ、６  モータドライバ、７  再生信号処理回路、８  サーボコントローラ、９  バッファＲＡＭ、１０  バッファマネージャ、１１  インターフェース、１２  ＲＯＭ、１３  ＣＰＵ、１４  ＲＡＭ、１５  ホスト、１００  情報記録再生装置
【図１】
2006252676.tif 000003
【図２】
2006252676.tif 000004
【図３】
2006252676.tif 000005
【図４】
2006252676.tif 000006
【図５】
2006252676.tif 000007
【図６】
2006252676.tif 000008